(57)【要約】      （修正有）【課題】使用者に継続して睡眠の状態を測定する動機付けを与え、睡眠の状態の管理の有効性を向上させるシステムを提供する。【解決手段】アプリケーション実行部は、タイマー設定時刻になると、表示制御部に指示して、音声出力部２６によるアラーム表示を開始させる。これに応じて、使用者が睡眠の状態を測定すると、アプリケーション実行部は、測定結果に応じた指標（睡眠指標）を生成してサーバ装置１０に送信する。表示データ生成部１０２は、複数の使用者の睡眠指標と属性とを管理テーブル１３ｃで管理しており、携帯端末装置２０からの睡眠指標を受信すると、所定の属性が近い他の使用者の睡眠指標と比較し、比較結果に応じた表示を行わせる表示データを生成し、携帯端末装置２０宛に送信する。アプリケーション実行部は、サーバ装置１０からの表示データを受信すると、表示制御部に指示して表示データに応じた表示を表示部２２に表示させる。【選択図】図１
2015123116.tif 000002
【特許請求の範囲】
【請求項１】
複数の使用者の睡眠の状態を示す指標（睡眠指標）を管理するサーバ装置と、使用者の睡眠の状態を測定した結果に応じた睡眠指標を前記サーバ装置に送信する複数の測定装置とを備える睡眠管理システムであって、
前記サーバ装置は、
複数の使用者の睡眠指標を保持する保持部と、
前記測定装置からの睡眠指標を受信して前記保持部に保持する受信部と、
前記保持部に保持されている他の使用者の睡眠指標と当該使用者の睡眠指標を比較した比較結果に応じた表示を行わせる表示データを生成する表示データ生成部と、
前記表示データを当該使用者の端末装置に送信する送信部とを備え、
前記測定装置は、
アラームを報知する報知部と、
所定時刻に前記アラームを報知するように前記報知部を制御する報知制御部と、
使用者の睡眠の状態を測定して測定結果に応じた睡眠指標を生成する指標生成部と、
前記睡眠指標を前記サーバ装置に送信する送信部と、
を備えることを特徴とする睡眠管理システム。
【請求項２】
前記所定時刻が使用者の起床時刻に応じて設定した時刻である、
ことを特徴とする請求項１記載の睡眠管理システム。
【請求項３】
前記睡眠指標測定部は、前記睡眠の状態を示す指標を、少なくとも前記報知手段によるアラーム表示から前記指標生成部による測定の開始までの時間又は所定の画面表示に対する入力までの時間のいずれかに応じて求める、
ことを特徴とする請求項１又は２記載の睡眠管理システム。
【請求項４】
前記保持部は、前記睡眠指標と共に各使用者の属性を保持しており、
前記比較部は、各使用者の属性に応じて、前記他の使用者を選択し、
選択した使用者の睡眠指標と当該使用者の睡眠指標を比較した比較結果に応じて前記表示データを生成する、
ことを特徴とする請求項１乃至３のいずれかに記載の睡眠管理システム。
【請求項５】
前記保持部に保持されている複数の使用者の睡眠指標に応じたランキングを表示させる表示データを生成し、前記端末装置からの要求に応じて供給するランキング管理部、
を備えることを特徴とする請求項１乃至５のいずれかに記載の睡眠管理システム。
【請求項６】
複数の測定装置から供給された複数の使用者の睡眠の状態を示す指標（睡眠指標）を保持部に保持して管理するサーバ装置の動作を制御するプログラムであって、
前記サーバ装置を、
前記測定装置からの睡眠指標を受信して前記保持部に保持する受信部と、
前記保持部に保持されている他の使用者の睡眠指標と当該使用者の睡眠指標を比較した比較結果に応じた表示を行わせる表示データを生成する表示データ生成部と、
前記表示データを当該使用者の端末装置に送信する送信部として機能させる、
ことを特徴とするプログラム。
【請求項７】
受信した複数の使用者の睡眠の状態を示す指標（睡眠指標）を保持部に保持して管理し、保持されている他の使用者の睡眠指標と当該使用者の睡眠指標を比較した比較結果に応じた表示を行わせる表示データを生成し、当該使用者の測定装置に送信するサーバ装置に前記睡眠指標を送信する測定装置の動作を制御するプログラムであって、
前記測定装置を、
アラームを報知する報知部と、
所定時刻にアラームを報知するように前記報知部を制御する報知制御部と、
使用者の睡眠の状態を測定して測定結果に応じた睡眠指標を生成する指標生成部と、
前記睡眠指標を前記サーバ装置に送信する送信部と、
前記サーバ装置からの表示データを受信する受信部と、
受信した表示データに応じた表示を表示させる表示制御部として機能させる、
ことを特徴とするプログラム。
【請求項８】
使用者の睡眠の状態を測定して測定結果に応じた睡眠指標を生成する指標生成部と、
受信した複数の使用者の睡眠の状態を示す指標（睡眠指標）を保持部に保持して管理し、保持されている他の使用者の睡眠指標と当該使用者の睡眠指標を比較した比較結果に応じた表示を行わせる表示データを生成するサーバ装置に前記睡眠指標を送信する送信部と、
を備えることを特徴とする測定装置。
【請求項９】
アラームを報知する報知部と、
所定時刻にアラームを報知するように前記報知部を制御する報知制御部と、を備え、
前記送信部は、前記報知制御部が報知部にアラームを報知させた後に前記睡眠指標を前記サーバ装置に送信する、
ことを特徴とする請求項８記載の測定装置。
【発明の詳細な説明】
【技術分野】
【０００１】
本発明は、複数の使用者の睡眠の状態を管理する睡眠管理システム等に関する。
【背景技術】
【０００２】
健康管理等のため、睡眠の質を高めるためには、日々の睡眠の状態を測定し、管理することが求められる。このような睡眠の状態を測定し、管理を行うものとして、睡眠計によって計測した使用者の睡眠に関する生体情報をサーバ側で解析する睡眠管理システムが知られている（例えば特許文献１）。
【先行技術文献】
【特許文献】
【０００３】
【特許文献１】特開２０１３−２０８２８３号公報
【発明の概要】
【発明が解決しようとする課題】
【０００４】
睡眠の状態を示す指標の１つとして、目覚ましのアラームを表示してから使用者が反応するまでの時間あるいは起床直後に所定のアプリケーションを実行して測定した反応速度等を用い、継続して睡眠の状態を測定し、睡眠の状態の管理を行うことが考えられる。
【０００５】
このような方法や上述の文献に記載された睡眠管理システムのように、使用者が積極的に測定する必要があるシステムでは、起床時の測定がわずらわしかったり、眠かったりして、使用者が継続して睡眠の状態を測定する意欲が湧かない等の問題が考えられる。
【０００６】
以上の事情に鑑みて、本発明は、使用者に、継続して睡眠の状態を測定する動機付けを与え、睡眠の状態の管理の有効性を向上させることを目的としている。
【課題を解決するための手段】
【０００７】
以上の課題を解決するために本発明が採用する手段を以下に説明する。なお、本発明の理解を容易にするために以下では図面の参照符号を便宜的に括弧書で付記するが、本発明を図示の形態に限定する趣旨ではない。
【０００８】
本発明に係る睡眠管理システム（１）は、複数の使用者の睡眠の状態を示す指標（睡眠指標）を管理するサーバ装置（１０）と、使用者の睡眠の状態を測定した結果に応じて生成した睡眠指標を前記サーバ装置に送信する複数の測定装置（２０）とを備える睡眠管理システムであって、前記サーバ装置は、複数の使用者の睡眠指標を保持する保持部（１３）と、前記測定装置からの睡眠指標を受信して前記保持部に保持する受信部（１０５）と、前記保持部に保持されている他の使用者の睡眠指標と当該使用者の睡眠指標を比較した比較結果に応じた表示を行わせる表示データを生成する表示データ生成部（１０２）と、前記表示データを当該使用者の端末装置に送信する送信部（１０２）とを備え、前記測定装置は、アラームを報知する報知部と、所定時刻に前記アラームを報知するように前記報知部を制御する報知制御部（２０１）と、使用者の睡眠の状態を測定して測定結果に応じた睡眠指標を生成する指標生成部（２０１）と、前記睡眠指標を前記サーバ装置に送信する送信部（２０１）と、を備える。
【０００９】
この睡眠管理システムでは、アラーム制御手段により所定時刻に報知手段によるアラームが報知され、これに応じて、使用者が睡眠の状態の測定を開始すると、指標生成部が測定結果に応じた睡眠指標を生成し、送信部がサーバ装置に送信する。サーバ装置の受信部は、測定装置からの睡眠指標を受信すると、保持部に保持する。表示データ生成部は、保持部に保持されている他の使用者の睡眠指標と当該使用者の睡眠指標を比較した比較結果に応じた表示を行わせる表示データを生成する。生成した表示データは、送信部が当該使用者の端末装置に送信する。これにより、使用者の睡眠の状態を示す睡眠指標を測定し、他の使用者の睡眠指標と比較し、比較結果に応じた表示データに応じた表示を使用者の端末装置に送信することができる。
【００１０】
本発明に係る健康管理システムの好適な態様として、前記所定時刻が使用者の起床時刻に応じて設定した時刻である態様とすることができる。この態様では、使用者の起床時刻に応じて報知部によるアラームの報知を行わせることができる。
【００１１】
本発明に係る健康管理システムの好適な態様として、前記睡眠指標測定部は、前記睡眠の状態を示す指標を、少なくとも前記報知部によるアラーム表示から前記指標生成部による測定の開始までの時間又は所定の画面表示に対する入力までの時間のいずれかに応じて求める態様とすることができる。この態様では、報知手段によるアラーム表示から指標生成部による測定の開始までの時間又は所定の画面表示に対する入力までの時間のいずれかに応じて睡眠の状態を示す指標を求めることができる。
【００１２】
本発明に係る健康管理システムの好適な態様として、前記保持部は、前記睡眠指標と共に各使用者の属性を保持しており、前記比較部は、各使用者の属性に応じて、前記他の使用者を選択し、選択した使用者の睡眠指標と当該使用者の睡眠指標を比較した比較結果に応じて前記表示データを生成する態様とすることができる。この態様では、各使用者の属性は、例えば名前，性別，年齢，国，測定時の位置，地域，測定日時等とすることができる。この態様では、使用者の属性に応じて睡眠指標を比較する他の使用者を選択することができる。
【００１３】
前記保持部に保持されている複数の使用者の睡眠指標に応じたランキングを表示させる表示データを生成し、前記端末装置からの要求に応じて供給するランキング管理部を備える態様とすることができる。この態様では、複数の使用者の睡眠指標に応じたランキングを測定装置に提供して表示させることができる。
【００１４】
また、本発明に係るプログラムは、複数の測定装置から供給された複数の使用者の睡眠の状態を示す指標（睡眠指標）を保持部に保持して管理するサーバ装置の動作を制御するプログラムであって、前記サーバ装置を、前記測定装置からの睡眠指標を受信して前記保持部に保持する受信部と、前記保持部に保持されている他の使用者の睡眠指標と当該使用者の睡眠指標を比較した比較結果に応じた表示を行わせる表示データを生成する表示データ生成部と、前記表示データを当該使用者の測定装置に送信する送信部として機能させる。
【００１５】
また、本発明に係るプログラムは、受信した複数の使用者の睡眠の状態を示す指標（睡眠指標）を保持部に保持して管理し、保持されている他の使用者の睡眠指標と当該使用者の睡眠指標を比較した比較結果に応じた表示を行わせる表示データを生成し、当該使用者の測定装置に送信するサーバ装置に前記睡眠指標を送信する測定装置の動作を制御するプログラムであって、前記測定装置を、アラームを報知する報知部と、所定時刻にアラームを報知するように前記報知部を制御する報知制御部と、使用者の睡眠の状態を測定して測定結果に応じた睡眠指標を生成する指標生成部と、前記睡眠指標を前記サーバ装置に送信する送信部と、前記サーバ装置からの表示データを受信する受信部と、受信した表示データに応じた表示を表示させる表示制御部として機能させる。
【００１６】
また、本発明に係る測定装置は、使用者の睡眠の状態を測定して測定結果に応じた睡眠指標を生成する指標生成部と、受信した複数の使用者の睡眠の状態を示す指標（睡眠指標）を保持部に保持して管理し、保持されている他の使用者の睡眠指標と当該使用者の睡眠指標を比較した比較結果に応じた表示を行わせる表示データを生成するサーバ装置に前記睡眠指標を送信する送信部と、を備える。
【図面の簡単な説明】
【００１７】
【図１】本発明の実施形態に係る睡眠管理システムの構成例を示すブロック図である。
【図２】同サーバ装置が保持する管理テーブルの例を示す図である。
【図３】同サーバ装置から携帯端末装置にアプリケーションを提供する処理の一例を示すシーケンス図である。
【図４】同携帯端末装置におけるアプリケーションの動作の一例を示すフローチャートである。
【図５】同携帯端末装置において実行されているアプリケーションがサーバ装置にデータ（睡眠指標）を送信する処理の一例を示すシーケンス図である。
【図６】同サーバ装置における表示データの生成等の処理の一例を示すフローチャートである。
【図７】同携帯端末装置におけるアプリケーションの実行時に表示部に表示される画像の例を示す図である。
【図８】同アプリケーションの実行時に表示部に表示される画像の例を示す図である。
【図９】同携帯端末装置におけるアプリケーションの実行時に表示部に表示される画像の例を示す図である。
【図１０】同サーバ装置のストレージ装置に格納されているランキングデータの例を示す図である。
【図１１】同アプリケーションの実行時に表示部に表示される画像の例を示す図である。
【図１２】同サーバ装置のストレージ装置に格納されているランキングデータの例を示す図である。
【図１３】同アプリケーションの実行時に表示部に表示される画像の例を示す図である。
【図１４】変形例に係る睡眠管理システムのサーバ装置が保持するランキングテーブルの例を示す図である。
【発明を実施するための形態】
【００１８】
［１．第１の実施形態］
＜Ａ：構成＞
以下、添付図面を参照して、本発明に係る睡眠管理システムの一実施形態を詳細に説明する。本実施形態では、睡眠の状態を示す指標（睡眠指標）の一例であるアラーム表示から測定開始までの時間あるいは所定の画面表示に対する入力までの時間等を例に説明するものとする。また、本実施形態では、測定装置の一例として、携帯端末装置を用いた例について説明するものとする。
【００１９】
図１は、本実施形態に係る睡眠管理システム１の構成を示す図である。
この睡眠管理システムは、複数の使用者の睡眠指標の管理・アプリケーションの提供等のサービスを提供するサーバ装置１０と、このサーバ装置１０が提供するサービスを利用する携帯電話端末・スマートフォン等の携帯端末装置（測定装置）２０とを備えている。サーバ装置１０と携帯端末装置２０とは、携帯電話通信網・インターネット等のネットワーク５を介して通信を行うことができるようになっている。
【００２０】
サーバ装置１０は、ＭＰＵ（Micro-Processing Unit）１１、メモリ１２、ＨＤＤ（Hard Disk Drive）等のストレージ装置１３、ネットワーク５を介して通信を行う通信インタフェース（通信Ｉ／Ｆ）１４等を備えている。ストレージ装置１３には、例えば認証を行うための認証情報１３ａ、携帯端末装置２０において実行されるアプリケーションプログラム（以下、単にアプリケーションという。）１３ｂ、管理サービスに用いる管理テーブル１３ｃ、使用者のランキングの決定に用いるランキングデータ１３ｄ等が格納されている。
【００２１】
ＭＰＵ１１は、例えばメモリ１２等に格納されている制御プログラムを実行することにより、サービス提供のフロントエンドとなるＨＴＴＰサーバ１０４と、ストレージ装置１３に格納されている認証情報１３ａに基づいて個々の携帯端末装置２０の使用者の認証を行うユーザ認証部１０１と、携帯端末装置２０に送信する表示データを生成する表示データ生成部１０２と、所定の条件を満たす使用者の群毎にランキングを生成するランキング管理部１０３と、受信部１０５等として機能する。
【００２２】
携帯端末装置２０は、携帯電話通信網，インターネット等のネットワーク５等を介して通信を行う通信制御部２１と、アプリケーション等に応じた画像を表示する表示部２２と、使用者からの操作指示等を入力する操作部２３と、ＲＯＭ，ＲＡＭ等のメモリ２４と、ＭＰＵ２５と、スピーカ等の音声出力部２６とを備えている。
【００２３】
ＭＰＵ２５は、例えばメモリ２４等に格納されている制御プログラムを実行することにより、メモリ２４に格納されているアプリケーションを実行するアプリケーション実行部２０１と、時刻をカウント（計時）するタイマー２０２と、画像等のコンテンツを表示する際の制限状態を管理する状態管理部２０３と、表示部２２及び音声出力部２６に対する表示を制御する表示制御部２０４と、Ｗｅｂブラウザ２０５等として機能する。
【００２４】
サーバ装置１０が保持する管理テーブル１３ｃは、例えば図２に示すように、複数の使用者について、睡眠指標等の情報が格納されている。個々の使用者には固有の識別情報（ＵＩＤ）が割り当てられており、この管理テーブル１３ｃには、ＵＩＤに対応付けて、使用者の名前，性別，年齢，測定時の位置の緯度，経度，国，地域（県，州，都市等），測定日時，アラーム設定，反応時間（睡眠指標）等の情報が記録されている。これらの情報は、携帯端末装置２０からサーバ装置１０に送信される測定データ中に含まれている。サーバ装置１０の受信部１０５は、通信インタフェース１４，ＨＴＴＰサーバ１０４を介して携帯端末装置２０から睡眠指標等のデータが供給されると、管理テーブル１３ｃ中に登録するようになっている。
【００２５】
＜Ｂ：動作概要＞
次に、睡眠管理システム１の動作の概要について説明する。
（アプリケーションの提供）
本実施形態の睡眠管理システム１では、携帯端末装置２０で実行するアプリケーションは、例えば図３に示す処理によってサーバ装置１０から携帯端末装置２０に提供するようになっている。
【００２６】
携帯端末装置２０で実行されているＷｅｂブラウザ２０５を操作している使用者から、操作部２３を介してアプリケーション等の取得が指示されると、ＭＰＵ２５は、サーバ装置１０に対するログイン要求を送信する（Ｓ１０１）。このログイン要求は、ネットワーク５，通信インタフェース１４，ＨＴＴＰサーバ１０４を介してユーザ認証部１０１に供給される。ユーザ認証部１０１は、携帯端末装置２０に、認証データの送信を要求する（Ｓ１０２）。ＭＰＵ２５は、これに応じて例えばメモリ２４に格納されているＵＩＤとパスワード等の認証データを送信する（Ｓ１０３）。ユーザ認証部１０１は、携帯端末装置２０から受信した認証データに問題がなければログインが成功した旨のログイン結果通知を携帯端末装置２０宛に送信する（Ｓ１０４）。
【００２７】
続いて、Ｗｅｂブラウザ２０５は、ＨＴＴＰサーバ１０４にアプリケーションのリストを要求する（Ｓ１０５）。この要求は、ネットワーク５，通信インタフェース１４を介してＨＴＴＰサーバ１０４に供給される。このような要求が供給されると、ＨＴＴＰサーバ１０４は、ストレージ装置１３に格納されているアプリケーションのリストを表示させるデータ（例えばＨＴＭＬ形式等のページ記述言語で記載されたデータ）を生成し、携帯端末装置２０のＷｅｂブラウザ２０５宛に送信する（Ｓ１０６）。
【００２８】
Ｗｅｂブラウザ２０５は、このようなリストを表示させるデータを受信すると、これに応じた画像を操作部２３に表示させる。この画像を見た使用者が、特定のアプリケーションを選択すると、Ｗｅｂブラウザ２０５は、選択されたアプリケーションの送信をＨＴＴＰサーバ１０４に要求する（Ｓ１１１）。この要求は、ネットワーク５，通信インタフェース１４を介してＨＴＴＰサーバ１０４に供給される。ＨＴＴＰサーバ１０４は、このような要求が供給されると、要求されたアプリケーションをストレージ装置１３から読み出して、携帯端末装置２０宛に送信する（Ｓ１１２）。送信されたアプリケーションは、通信インタフェース１４，ネットワーク５を介して携帯端末装置２０に供給される。携帯端末装置２０のＷｅｂブラウザ２０５は、アプリケーションを受信すると、これをメモリ２４に格納する。
【００２９】
（アプリケーションの動作）
また、本実施形態の睡眠管理システム１では、携帯端末装置２０のＭＰＵ２５が、上述のアプリケーションを実行することにより、睡眠の状態の測定を使用者に促すようになっている。
【００３０】
ＭＰＵ２５が、アプリケーション実行部２０１にアプリケーションを実行させると、例えば図４に示すように、アプリケーション実行部２０１は、タイマー２０２のカウントに応じて、所定の時刻（タイマー設定時刻）になるまで待機する（Ｓ１）。タイマー設定時刻になると、アプリケーション実行部２０１は、表示制御部２０４に指示して、音声出力部２６によるアラーム表示を開始させる（Ｓ２）。なお、このタイマー設定時刻は、例えば使用者が自分の起床時間に応じて予め設定しておく。
【００３１】
この後、アプリケーション実行部２０１は、使用者が睡眠の状態の測定を開始するのを待機する（Ｓ３）。使用者が睡眠の状態の測定を開始すると、アプリケーション実行部２０１は、表示制御部２０４に指示して音声出力部２６によるアラーム表示を停止させる（Ｓ４）。さらに、アプリケーション実行部２０１は、使用者の睡眠の状態を測定し、測定結果に応じた指標（睡眠指標）を決定する。この使用者の睡眠の状態の測定は、例えばアラーム表示から測定開始までの時間あるいは所定の画面表示に対する入力までの時間等によって行い、これらの時間を「反応時間」等の睡眠指標とする。
【００３２】
このような睡眠指標を求めると、アプリケーション実行部２０１は、これに上述の使用者の名前，性別，年齢，測定時の位置の緯度，経度，国，地域（県，州，都市等），測定日時，アラーム設定等の情報を付加した測定データとしてサーバ装置１０宛に送信する（Ｓ５）。この後、サーバ装置１０から、他の使用者の睡眠指標と比較した結果を示す表示データを受信するのを待機する（Ｓ６）。サーバ装置１０からの表示データを受信すると、アプリケーション実行部２０１は、受信した表示データに応じた画像を表示部２２に表示させる（Ｓ７）。これにより、使用者は、他の使用者の睡眠の状態と自己の睡眠の状態とを比較した結果を知ることができる。この後、アプリケーション実行部２０１は、当該アプリケーションを終了するか否かを確認し（Ｓ８）、終了しない場合には、次のタイマー設定時刻まで待機する（Ｓ１）。
【００３３】
上述のステップＳ５及びステップＳ６における携帯端末装置２０とサーバ装置１０の間の通信は、例えば図５に示す手順で行われる。
アプリケーション実行部２０１は、上述の図４中のステップＳ５において睡眠指標を送信する際に、まず、サーバ装置１０に対するログイン要求を送信する（Ｓ２０１）。このログイン要求は、ネットワーク５，通信インタフェース１４，ＨＴＴＰサーバ１０４を介してユーザ認証部１０１に供給される。ユーザ認証部１０１は、携帯端末装置２０に、認証データの送信を要求する（Ｓ２０２）。アプリケーション実行部２０１は、これに応じてメモリ２４に格納されているＵＩＤとパスワード等の認証データを送信する（Ｓ２０３）。ユーザ認証部１０１は、携帯端末装置２０から受信した認証データに問題がなければログインが成功した旨のログイン結果通知を携帯端末装置２０宛に送信する（Ｓ２０４）。
【００３４】
この後、アプリケーション実行部２０１は、上述の測定データの送信をサーバ装置１０に要求する（Ｓ２０５）。これに対するサーバ装置１０からの送信許可を受信すると（Ｓ２０６）、アプリケーション実行部２０１は、上述の測定データをサーバ装置１０に送信し（Ｓ２０７）、上述の図４中のステップＳ６において、サーバ装置１０からの表示データを受信するのを待機する。サーバ装置１０から表示データを受信すると（Ｓ２０８）、アプリケーション実行部２０１は、受信確認をサーバ装置１０に送信する（Ｓ２０９）。
【００３５】
（比較対象の他の使用者の選択と睡眠指標の比較）
上述のサーバ装置１０における、測定データを送信した携帯端末装置２０の使用者（当該使用者）の睡眠指標と他の使用者の睡眠指標とを比較した結果を示す表示データの生成は、例えば図６に示す処理によって実行される。
サーバ装置１０の表示データ生成部１０２は、携帯端末装置２０からの測定データ（睡眠指標）の受信を待機しており（Ｓ１１）、測定データを受信すると、管理テーブル１３ｃの、当該使用者のＵＩＤに対応する各項目の値を更新する。
【００３６】
この後、表示データ生成部１０２は、比較対象の他の使用者（相手）を選択し、選択した相手の睡眠指標と当該使用者の睡眠指標との比較を行う（Ｓ１２）。相手の選択は、上述の図２に示す管理テーブル１３ｃに基づいて、所定の項目、例えばアラーム表示時刻を示す項目「アラーム設定」が所定の範囲（例えば５分）以内である他の使用者の中から行う。なお、このアラーム表示時刻は、項目「測定日時」等の情報も用いて現地時間で判断する。また、該当する他の使用者が複数いる場合には、他の項目の値も用いて相手を選択する。この際、睡眠指標の値が所定の範囲内にあるグループを設定しておき、当該グループ内で相手を選択することにより、レベル（睡眠指標）の近い相手を選択することができる。あるいは、同じ相手と何度も比較されないように、使用者毎に、比較相手の履歴を保持しておき、表示データ生成部１０２が相手を選択する際に参照するようにしてもよい。
【００３７】
相手を選択すると、表示データ生成部１０２は、相手の睡眠指数と当該使用者の睡眠指標とを比較する。さらに、表示データ生成部１０２は、比較結果に応じて、当該使用者の勝敗を決定する（Ｓ１３）。具体的には、例えば相手の「反応時間」の値が当該使用者の「反応時間」の値より長ければ、比較結果を当該使用者の「勝ち」とする。逆に、相手の「反応時間」の値が当該使用者の「反応時間」の値より短ければ、比較結果を当該使用者の「負け」とする。
【００３８】
表示データ生成部１０２は、このような勝敗の結果に応じた画像を表示させる表示データを生成する（Ｓ１４，Ｓ１５）。具体的には、当該使用者の「勝ち」であれば、表示データ生成部１０２は、例えば図７に示すように、表示部２２の画像表示領域５０内に「勝ち」であることを示す画像５１を表示させ、「勝ち」であることを示すメッセージ５２を表示させ、比較対象の相手についての情報を示す表示５３を表示させる表示データを生成する（Ｓ１４）。逆に、当該使用者の「負け」であれば、表示データ生成部１０２は、例えば図８に示すように、表示部２２の画像表示領域５０内に「負け」であることを示す画像５４を表示させ、「負け」であることを示すメッセージ５５を表示させ、比較対象の相手についての情報を示す表示５６を表示させる表示データを生成する（Ｓ１５）。なお、これらの表示データは、例えばＨＴＭＬ等のページ記述言語で記述する。
【００３９】
このような表示データを生成すると、表示データ生成部１０２は、これをＨＴＴＰサーバ１０４を介して携帯端末装置２０に送信する（Ｓ１６）。この表示データは、通信インタフェース１４，ネットワーク５を介して携帯端末装置２０に供給される。このような表示データを受信すると、アプリケーション実行部２０１で実行されているアプリケーションは、表示制御部２０４に指示して表示データに応じた画像を表示部２２に表示させる。これにより、当該携帯端末装置２０の使用者が、自分の睡眠の状態が、どの使用者と比較して、良かったか悪かったかを知ることができる。
【００４０】
（反応時間の測定）
上述の所定の画面表示に対する入力までの時間（反応時間）の測定は、例えば図９に示すように、表示部２２の問題表示領域４１に表示した計算式の解を、入力領域４２に表示した選択肢の中から選択するまでの時間の測定によって行うようにしてもよい。この場合、正しい選択肢を選択するまでの時間を経過時間表示領域４３に表示するようにしてもよい。さらに、このような計算式の解の入力を複数回行って反応時間を求めるようにしてもよい。
【００４１】
（ランキングの表示等）
また、この睡眠管理システム１では、サーバ装置１０が使用者の睡眠指標のランキングを行っている。このために、ストレージ装置１３には、例えば図１０及び図１１等に示すように、ランキングデータ１３ｄが格納されている。
このランキングデータ１３ｄは、上述の管理テーブル１３ｃ中の国，地域が同じ使用者毎（図１０）あるいはアラーム表示時刻「アラーム設定」が所定の範囲内の使用者毎（図１１）のように、属性（管理テーブル１３ｃ中の項目の値）が同じ使用者（カテゴリ）毎に作成されている。図１０は、項目「国」の値が「ＪＰ」であって項目「地域」の値が「東京」である使用者について、項目「反応時間」が短い順に求めたランキングデータ１３ｄの例を示している。図１１は、項目「アラーム設定」の値が「０７：００：００」〜「０７：００：００」である使用者について、項目「反応時間」が短い順に求めたランキングデータ１３ｄの例を示している。
【００４２】
ランキング管理部１０３は、所定の時間間隔（例えば１時間）毎に、管理テーブル１３ｃからカテゴリ毎に、該当する使用者のデータの所定の項目（例えば図１０の場合では、「ＵＩＤ」，「名前」，「性別」，「年齢」と「反応時間」、図１１の場合では、「ＵＩＤ」，「名前」，「性別」，「年齢」，「反応時間」，「国」と「地域」）の値を抽出し、「反応時間」を主キーとして昇順（反応時間が短い順）にソートした結果をランキングデータ１３ｄとする。
【００４３】
ＨＴＴＰサーバ１０４は、使用者の携帯端末装置２０から特定のカテゴリのランキングデータに応じた表示データが要求されると、ランキング管理部１０３に、該当するカテゴリのランキングデータに応じた表示をさせる表示データを要求する。これに応じて、ランキング管理部１０３は、要求されたカテゴリのランキングデータ１３ｄに例えばＨＴＭＬ等のページ記述言語により、当該ランキングデータ１３ｄに応じた表示をさせる表示データを生成する。ＨＴＴＰサーバ１０４は、ランキング管理部１０３が生成した表示データを通信インタフェース１４，ネットワーク５を介して携帯端末装置２０に送信する。
【００４４】
このような表示データが供給されると、携帯端末装置２０のＷｅｂブラウザ２０５は、供給された表示データに応じて、例えば図１２，図１３に示すような画像を表示部２２に表示させる。
【００４５】
＜Ｃ．効果＞
この実施形態では、上述のように、アプリケーションの実行によって測定した睡眠の状態を示す指標を他の使用者の指標と比較し、他の使用者との勝敗あるいはランキング等の比較結果に応じた表示を行うことができる。これにより、このような表示を見た使用者の競争心を刺激し、継続して睡眠の状態を測定しようとする動機付けを与えることができる。この動機付けによって使用者に、継続して睡眠の状態を測定させることができ、睡眠の状態の管理の有効性を向上させることができる。
【００４６】
＜Ｄ．変形例＞
なお、上述の説明では、携帯端末装置２０のアプリケーション実行部２０１で実行されるアプリケーションにより、反応時間を測定し、これを睡眠の状態を示す指標として用いていたが、アラームを表示してから使用者がアプリケーションを起動するまでの時間を睡眠の状態を示す睡眠指標として用いてもよい。上述の管理テーブル１３ｃには、アラームの設定時刻（アラーム設定）とアプリケーションの起動日時（測定日時）が記録されているため、サーバ装置１０側でこれらのデータから、アプリケーションを起動させるまでの時間を求め、睡眠指標として用いることができる。
【００４７】
あるいは、アラームを表示してから使用者がアプリケーションを起動するまでの時間によって、アプリケーションで測定した反応時間を補正するようにしてもよい。一般的に、起床から時間が経過すれば、頭がスッキリして反応時間が短くなると考えられるため、このような補正を行うことにより。睡眠の状態を示す睡眠指標の精度を向上させることができる。
【００４８】
また、上述の説明では、測定装置の例として携帯端末装置２０を用いた場合について説明したが、例えば図１４に示すように、使用者の睡眠の状態を測定する睡眠計（測定装置）３０によって使用者の睡眠指標を生成するようにしてもよい。この睡眠計３０は、例えば、使用者の寝具の下に設置し、使用者の就寝時の姿勢等を検出する圧力センサ３１ａ〜３１ｃと、使用者の就寝時の寝息等の音を検出する音センサ３２と、使用者の指示等を入力する操作部３３と、表示を行う表示部３４と、プログラム・データ等を格納するメモリ３５と、サーバ装置１０あるいは携帯端末装置２０と通信を行う通信部３６と、ＭＰＵ３９とを備えている。この睡眠計３０では、例えば圧力センサ３１ａ〜３１ｃによって測定した寝返りの検出出力，音センサ３２による睡眠時の音等の睡眠時の生体情報を測定し、当該睡眠計３０あるいはサーバ装置１０によって、測定した生体情報を解析して睡眠の状態を示す睡眠指標とする。
【００４９】
睡眠計３０のＭＰＵ３９は、例えばメモリ３５に格納されている制御プログラムを実行することにより、上述の圧力センサ３１ａ〜３１ｃ，音センサ３１ｄの検出出力に応じて使用者の睡眠の状態を示す睡眠指標を生成する状態測定部３９ａ，表示制御部３９ｂ，携帯端末装置２０との間で通信を行う通信制御部３９ｃ等として機能する。状態測定部３９ａが睡眠指標を求めると、状態測定部３９ａは、例えばＩＥＥＥ  ８０２．１５．１［ＢｌｕｅＴｏｏｔｈ（登録商標）］，ＩＥＥＥ  ８０２．１１等の通信規格に従って通信を行う通信部３６を介して、携帯端末装置２０に睡眠指標を送信する。携帯端末装置２０の通信部２１が、睡眠計３０からの睡眠指標を受信すると、アプリケーション実行部２０１は、受信した睡眠指標をサーバ装置１０宛に送信する。この後、上述と同様に、サーバ装置１０から、他の使用者の睡眠指標と比較した結果を示す表示データが供給されると、アプリケーション実行部２０１は、表示データに応じた画像を表示部２２に表示させる。
【００５０】
あるいは、携帯端末装置２０を介して睡眠計３０からの睡眠指標を睡眠計３０に送信するのではなく、無線ルーター等を介して睡眠計３０が直接サーバ装置１０に睡眠指標を送信するようにしてもよい。この場合は、サーバ装置１０側で、睡眠計３０と携帯端末装置２０の対応関係を管理しておき、睡眠指標を送信した睡眠計３０の使用者の携帯端末装置２０に、他の使用者の睡眠指標と比較した結果を示す表示データを送信する。さらに、睡眠計３０とサーバ装置１０の間の通信は、無線通信に限られず、有線通信によって行うようにしてもよい。
【００５１】
なお、本発明は上述した実施形態に限定されるものではなく、例えば、各実施形態を組み合わせた構成とすることもできる。
【符号の説明】
【００５２】
１……睡眠管理システム、１０……サーバ装置、１３ｃ……管理テーブル、１３ｄ……ランキングデータ、１０２……表示データ生成部１０２、１０３……ランキング管理部１０３、２０１……アプリケーション実行部、２０２……タイマー、２０４……表示制御部。
【図１】
2015123116.tif 000003
【図２】
2015123116.tif 000004
【図３】
2015123116.tif 000005
【図４】
2015123116.tif 000006
【図５】
2015123116.tif 000007
【図６】
2015123116.tif 000008
【図７】
2015123116.tif 000009
【図８】
2015123116.tif 000010
【図９】
2015123116.tif 000011
【図１０】
2015123116.tif 000012
【図１１】
2015123116.tif 000013
【図１２】
2015123116.tif 000014
【図１３】
2015123116.tif 000015
【図１４】
2015123116.tif 000016